(57)【要約】  本発明は、プラスチック針に関するものである。  本発明のプラスチック針は、ポリアリールエーテルケトン・ポリマー製である。  本発明は、特に医療および分析分野に、産業上の利用可能性を見出す。【特許請求の範囲】
【請求項１】
円筒体（１、１４）からなる針で、該円筒体が、長軸Ｘ−Ｘ'に沿って伸び、該円筒体の少なくとも一端（２）が斜めになっていて、次の式（１）で表されるポリアリールエーテルケトン・ポリマー製であることを特徴とする針。
【化１】
2007534341.tif 000004
【請求項２】
式（１）のポリアリールエーテルケトン・ポリマーが、さらに、炭素繊維、ガラス繊維、黒鉛顆粒、ポリテトラフルオロエチレン（ＰＴＦＥ）顆粒、カーボンブラック顆粒および上記の２つ以上の混合物の中から選択される充填材を含むことを特徴とする請求項１に記載の針。
【請求項３】
該針がさらに、少なくとも３本の補強用ワイヤー（３、４、５；６、７、８、９；１０、１１、１２、１３）も含み、該ワイヤーが、式（１）のポリアリールエーテルケトン・ポリマーの中に埋め込まれ、長軸Ｘ−Ｘ'と平行に伸び、中空体（１、１４）の全長にわたって張力が均一で、ワイヤーの各組（３、４；４、５；３、５；６、７；７、８；８、９；７、９；１０、１１；１１、１２；１２、１３；１０，１３）がまったく同じ中心角を画定するように配置されることを特徴とする請求項１または２に記載の針。
【請求項４】
前記の少なくとも３本のワイヤー（３、４、５；６、７、８、９、１０、１１、１２、１３）が、３１６ステンレススチール製であることを特徴とする請求項１〜３のいずれか１つに記載の針。
【請求項５】
前記の少なくとも３本のワイヤーのセット（３、４、５；６、７、８、９）の断面が、円形であることを特徴とする請求項１〜４のいずれか１つに記載の針。
【請求項６】
前記の少なくとも３本のワイヤーのセット（１０、１１、１２；１３）の断面が、楕円形であることを特徴とする請求項１〜４のいずれか１つに記載の針。
【請求項７】
中空体（１、１４）の断面が、円形であることを特徴とする請求項１〜６のいずれか１つに記載の針。
【請求項８】
中空体（１４）の両端が、斜めになっていることを特徴とする請求項１〜７のいずれか１つに記載の針。
【請求項９】
ピストンと、
注射針を取り付けるためのエンドフィッティングを装備したポンプ本体と、
注射針とからなる注射器であって、
該注射器が、請求項１〜７のいずれか１つに記載の針を装備することを特徴とする注射器。
【請求項１０】
エンドフィッティングを装備したポンプ本体と、ピストンとが、式（１）のポリアリールエーテルケトン・ポリマー製であることを特徴とする請求項９に記載の注射器。
【請求項１１】
エンドフィッティングを装備したポンプ本体と、ピストンとが、式（１）のポリアリールエーテルケトン・ポリマー製であり、該ポリマーが、ガラス繊維、炭素繊維、黒鉛顆粒、ポリテトラフルオロエチレン（ＰＴＦＥ）顆粒、カーボンブラック顆粒およびそれら２つ以上の混合物の中から選択される充填材を含むことを特徴とする請求項９または１０に記載の注射器。
【請求項１２】
第１のレシピエント（１５）の首（１８）の周囲への取り付けに適した第１の空洞部分（１７）と、
第２のレシピエント（１６）の首の（２０）の周囲への取り付けに適した第２の空洞部分（１９）と、
レシピエント（１５、１６）の弾性カプセル（２２、２３）への穿孔手段（１４）とからなるレシピエント・コネクタであって、
第１の空洞部分（１７）と第２の空洞部分（１９）が、水平の壁（２１）で互いに隔てられ、
該穿孔手段（１４）が、請求項８に記載の針であって、水平の壁（２１）の中心に配置されることを特徴とするコネクタ。
【請求項１３】
第２の空洞部分（１９）にさらに、ガスを取り込むためのポート（２４）も含まれることを、特徴とする請求項１２に記載のコネクタ。
【請求項１４】
第１の空洞部分（１７）にさらに、レシピエント（１５）の首（１８）への、該コネクタの取付手段（２５）も、含まれることを特徴とする請求項１２または１３に記載のコネクタ。
【請求項１５】
第１の空洞部分（１７）、第２の空洞部分（１９）、隔離壁（２１）が、式（１）のポリアリールエーテルケトン・ポリマー製であることを特徴とする請求項１２〜１４のいずれか１つに記載のコネクタ。
【請求項１６】
式（１）のポリアリールエーテルケトン・ポリマーが、炭素繊維、ガラス繊維、黒鉛顆粒、ポリテトラフルオロエチレン（ＰＴＦＥ）顆粒、カーボンブラック顆粒およびそれら２つ以上の混合物の中から選択される充填材を含むことを特徴とする請求項１５に記載のコネクタ。
【発明の詳細な説明】
【技術分野】
【０００１】
本発明は、プラスチック針に関するものである。また、本発明は、前記プラスチック針を含む注射器およびレシピエント（容器）コネクタにも関するものである。
【背景技術】
【０００２】
パイロジェンまたは発熱物質は、患者に投与するように意図された医薬品中に存在する場合、かかる医薬品が実際に投与されると、発熱反応を引き起こす不純物である。
【０００３】
医療分野では、数多くの装置に、注射および／または穿孔用の針が含まれ、かかる針によって、医薬品、通常は液体、の流動が可能となる。
【０００４】
医薬品を中に入れて他所へ移すように意図されたかかる針は、単に無菌で殺菌可能であるばかりでなく、また、非発熱性でもなければならない。すなわち、かかる針は、発熱物質を含まず、さらに、脱パイロジェン化できなければならない。すなわち、かかる針に含まれる恐れのある発熱物質を除去する処理に、耐えるだけの能力がなければならない。
【０００５】
実際には、かかる針を脱パイロジェン化するためには、かかる針を２５３℃まで加熱して１時間そのままにして置かなければならない。
【０００６】
ヒトの組織に医薬品を注射するための針が、通常、金属製であることの理由は、１つには、このためである。ヒトの組織に注射するためのこれらの針が、患者が感じる痛みを制限するために非常に細くなければならない一方で、皮膚および皮下層を穿孔するために十分な強度と剛性を保持しなければならないことが、もう１つの理由としてある。
【０００７】
しかしながら、金属針は、いったん使用された後、簡単には処分できず、このため、滅菌も脱パイロジェン化もされていないこれらの針との接触から生じる汚染事故（または、かかる針の、事故による再利用）により、衛生上の健康問題が生じる。
【０００８】
特に人体に医薬品を注射するための針に関する、この問題を解決するために、プラスチック製の針が提案されてきた。
【０００９】
特に国際特許出願ＷＯ００／７２９０１には、かかるプラスチック製注射針の製造工程が記載され、そこで用いられるプラスチックは、ヒドロキシ安息香酸、７３％とヒドロキシナフトエ酸、２７％からなる液晶性ポリマーである。
【００１０】
しかしながら、先行技術のプラスチック針は、変形することなく、２５３℃まで加熱して１時間そのままにして置くことができない。
【００１１】
実際には、医療分野での用途向けにプラスチック針が用いられる場合、かかる針は、１回限り使用するためのもので、脱パイロジェン化はできないが、かかる針に発熱物質が含まれないような条件下で製造される。しかしながら、いったんパックから取り出されて利用された後は、かかる針は脱パイロジェン化できない。
【００１２】
その上、これらの針は脱パイロジェン化できないので、かかる針を脱パイロジェン化して、かかる針に実際に発熱物質が含まれないことを確実にすることは、たとえ最初の利用の前であっても、不可能である。実際には、生産問題や、かかる針の輸送または取扱い中に生じる問題によって、発熱物質による汚染が生じてしまっている場合がある。
【００１３】
針はまた、穴を開けて、一方のレシピエントに入った医薬品を、レシピエントまたはボトル・コネクタによって相互接続された別のレシピエントに流すための手段としても、用いられる。
【００１４】
この種のボトル・コネクタは、通常、第１のレシピエントの首の周囲に取り付けるように意図された第１の空洞部分と、第２のレシピエントの首の中に取り付けるように意図された第２の空洞部分とからなり、両空洞部分は、水平の壁によって互いに隔てられ、かかる壁の中心には、穿孔手段、一つながりになる両レシピエントの弾性カプセル、および一方のボトルに入った医薬品、通常は液体、の流れを、他方のボトルに向けて移動させる流路が備えられている。
【００１５】
この穿孔および流れ誘発手段は、注射針とほぼ同じであってもよいが、内外の部分がより大きい。
【００１６】
繰り返すが、例えばヒトへの輸液用の、医薬品が入ったボトルに関しては、少なくとも穿孔および流動用に使用される針を構成する材料が、無菌で発熱物質を含まないことを、確実にすることが重要である。
【００１７】
従って、先行技術のコネクタのこれらの針では、上記の注射針に関する問題と同じ問題に直面する。
【発明の開示】
【発明が解決しようとする課題】
【００１８】
本発明の目的は、針を提案することによって、これらの問題を解決することである。かかる針は、特に注射器またはボトル・コネクタに取り付けるための針であって、脱パイロジェン化と容易な処分との両方が可能である。
【課題を解決するための手段】
【００１９】
この目的のために本発明で提案される針は、長軸Ｘ−Ｘ'に沿って伸びる円筒体からなり、少なくともその一端が斜めになっていて、次の式（１）で表されるポリアリールエーテルケトン・ポリマー製であることを特徴とする。
【００２０】
【化１】
2007534341.tif 000002
【００２１】
式（１）のポリアリールエーテルケトン・ポリマーは、また、充填材も含むことができ、かかる充填材は、炭素繊維、ガラス繊維、黒鉛顆粒、ポリテトラフルオロエチレン（ＰＴＦＥ）顆粒、カーボンブラック顆粒および上記の２つ以上の混合物の中から選択される。
【００２２】
好ましい一生産形態において、かかる針はまた、少なくとも３本の補強用ワイヤーも含むことができ、かかるワイヤーは、式（１）のポリアリールエーテルケトン・ポリマーの中に埋め込まれ、中空円筒体の全長にわたって長軸Ｘ−Ｘ'と平行に伸び、張力が均一で、互いに等距離で、ワイヤーの各組がまったく同じ中心角を画定するように配置される。
【００２３】
前記の少なくとも３本のワイヤーは、３１６ステンレススチール製であることが望ましい。
【００２４】
前記の少なくとも３本のワイヤーは、断面が円形であってもよい。
【００２５】
かかるワイヤーはまた、断面が楕円形であってもよい。
【００２６】
中空体は、断面が円形であることが望ましい。
【００２７】
特定の一製造形態において、中空体は、その両端が斜めになっている。
【００２８】
本発明の別の対象は、注射器であり、かかる注射器は、ピストンと、注射針を取り付けるためのエンドフィッティングを装備したポンプ本体とからなり、本発明に係る針が装備されることを特徴とする。
【００２９】
好ましい実施形態では、本発明に係る注射器の、エンドフィッティングを装備したポンプ本体およびピストンはまた、式（１）のポリアリールエーテルケトン・ポリマー製であり、かかるポリマーは、充填材を含む場合も含まない場合もあるが、かかる充填材は、ガラス繊維、炭素繊維、黒鉛顆粒、ポリテトラフルオロエチレン（ＰＴＦＥ）顆粒、カーボンブラック顆粒および上記の２つ以上の混合物の中から選択される。
【００３０】
本発明のさらに別の対象は、レシピエント用のコネクタであり、かかるコネクタは、第１のレシピエントの首の周囲への取り付けに適した第１空洞部分と、第２のレシピエントの首の中への取り付けに適した第２の空洞部分とからなり、第１の空洞部分と第２の空洞部分が、水平の壁によって互いに隔てられ、さらに、両レシピエントの弾性カプセルへの穿孔手段が備わり、かかる穿孔手段が本発明に係る針であって、水平の壁の中心に配置されていることを特徴とする。
【００３１】
本発明のコネクタの第２の空洞部分には、ガスを取り込むためのポートもまた、含まれることが望ましい。
【００３２】
加えて、本発明に係るコネクタの第１の空洞部分には、レシピエントの首にコネクタを取り付けるための手段もまた、含まれることが望ましい。
【００３３】
本発明のコネクタの好ましい実施形態では、第１の空洞部分、第２の空洞部分、隔離壁は、式（１）のポリアリールエーテルケトン・ポリマーからなり、かかるポリマーは、充填材もまた含むことができ、かかる充填材は、炭素繊維、ガラス繊維、黒鉛顆粒、ポリテトラフルオロエチレン（ＰＴＦＥ）顆粒、カーボンブラック顆粒および上記の２つ以上の混合物の中から選択される。
【発明を実施するための最良の形態】
【００３４】
図の参照と合わせて次のような説明を読むことによって、本発明は最もよく理解され、本発明の他の目的、利点および特徴も、最もよく理解される。
【００３５】
最初に、図１および１Ａを参照することによって、本発明に係る針について説明する。図１および１Ａから見て取れるように、本発明に係る針は、中空円筒体（１として示す）からなり、かかる中空体は、軸Ｘ−Ｘ'に沿って長軸方向に伸びる。注射または注入される望ましくは液体、特に液体医薬品、の流動のための導管を、この中空体は提供する。
【００３６】
この針には、少なくとも１つの斜めになった末端（図１に２として示す）があり、かかる末端によって、特にヒト組織および医薬品の入ったレシピエント・カプセルの、穿孔が可能になる。
【００３７】
本発明の本質的特徴は、少なくとも一端が斜めになったこの中空円筒体が、次の式（１）で表されるポリアリールエーテルケトン・ポリマー製であることである。
【００３８】
【化１】
2007534341.tif 000003
【００３９】
このポリマーは、オキシ−１，４−フェニレン−オキシ−１，４フェニレンカルボニル−１，４フェニレンであり、かかる物質は、ビクトレックス（Ｒ）社によって、特に商標「ＰＥＥＫ（Ｒ）」の下で、販売されている。
【００４０】
このポリマーは、半結晶性芳香線状高分子で、その溶融温度は３４３℃、ガラス転移温度は１４３℃である。
【００４１】
この物質は、ヒトの組織と完全な生物学的適合性があり、本質的に純粋で、抽出可能ガスおよびイオンの放出レベルが非常に低い。
【００４２】
このポリマーの実用温度は約２６０℃で、軟化温度は３１５℃にまで達することができる。
【００４３】
従って、この物質で作られた本発明の針は、完全に脱パイロジェン化できる。すなわち、かかる針は、化学的および力学的特性に変形または損傷を受けることなく、２３５℃まで加熱して１時間そのままにして置くことができる。
【００４４】
本発明の針の第２の実施形態では、これらの耐熱性および剛性を改善するために、本発明の針を、充填材を含んだ式（１）のポリアリールエーテルケトン・ポリマーで作り、かかる充填材を、ガラス繊維、炭素繊維、黒鉛顆粒、ポリテトラフルオロエチレン顆粒、カーボンブラック顆粒の中から選択する。
【００４５】
しかしながら、特にヒトの組織に医薬品を注射するためには、注射針は、患者の痛みと組織損傷を最小限に抑えるために、非常に細くなければならない。
【００４６】
実際には、ヒトの組織に注射するための針は、外径が約０．７ｍｍ、内径が約０．２５ｍｍであることが望ましく、その結果として、針の壁の厚さは、約０．２５ｍｍとなる。かかる壁の厚さでは、もっぱら式（１）のポリアリールエーテルケトン・ポリマーでのみ作られた本発明の針の剛性、すなわち耐変形性は、装填物を含んでいようといまいと、低すぎる可能性がある。
【００４７】
その結果、特に好ましい実施形態では、本発明の針には、図１および１Ａに３、４、５として示す少なくとも３本の補強用ワイヤーもまた、含まれる。これらの少なくとも３本のワイヤーは、中空体１の長軸Ｘ−Ｘ'と平行に、中空体１の一端から他端まで伸びる。これらの少なくとも３本の補強用ワイヤーは、その全長にわたって張力が均一で、互いに等距離に配置され、ワイヤーの各組、３と４、４と５、３と５が、まったく同じ中心角を画定する。
【００４８】
これらの少なくとも３本のワイヤーは、式（１）のポリアリールエーテルケトン・ポリマーからなる壁に埋め込まれるが、３１６ステンレススチール製であることが望ましい。
【００４９】
もちろん、図２および３に示された通り、より多くの補強用ワイヤー、例えば図２に６〜９として、図３に１０〜１３として示す４本の補強用ワイヤーが、存在することもできる。ただし、上記の通り、かかるワイヤーは、その全長にわたって張力が均一で、中空体１の長軸Ｘ−Ｘ'と平行であり、互いに等距離に配置され、ワイヤーの各組がまったく同じ中心角を画定するものとする。
【００５０】
同様に、これらの補強用ワイヤーは、図１Ａおよび図２に示された通りに断面が円形である場合も、図３に示された通りに断面が楕円形である場合もある。
【００５１】
かかるワイヤーの断面が円形の場合、その望ましい直径は、約０．１ｍｍである。
【００５２】
かかるワイヤーの断面が楕円形の場合、その主軸は、約０．１５ｍｍである。
【００５３】
かかるワイヤー・サイズであれば、本発明の針を炎または高温加熱に曝して使用不能にし、斜めになった末端による穿刺の可能性をなくすようにした場合、かかるワイヤーもまた融けて、本発明の針の衛生上の安全性が維持される。
【００５４】
ヒトの組織に注射するための針である中空円筒体１は、ヒト組織内への針の挿入時の痛みを最小限に抑えるために、断面が円形であることが望ましい。また、ヒトの組織に医薬品を注射するための針に関しては、針の一端だけが斜めになっていて、他方の端は、注射器ユニットに取り付けられる。
【００５５】
従って、本発明のさらなる対象は、特にヒト組織に、医薬品を注射するための注射器であり、かかる注射器は、注射される医薬品の貯蔵槽の役割もまた果たし、さらに、注射針を取り付けるエンドフィッティングを装備するポンプ本体と、この注射器が本発明の注射針を含む場合に、針を通して医薬品を押し出すためのピストンからなる。
【００５６】
さらに特に好ましい実施形態では、この注射器全体が、式（１）のポリアリールエーテルケトン・ポリマーからなる。つまり、ピストンも、エンドフィッティングを装備したポンプ本体も、針自体も全て、かかるポリマー製ということである。
【００５７】
もちろん、本発明の注射器の別の実施形態では、エンドフィッティングを装備したポンプ本体と、ピストンとは、本発明の針と同様に、充填材を装填された式（１）のポリアリールエーテルケトン・ポリマーで作られることができ、かかる充填材は、ガラス繊維、炭素繊維、黒鉛顆粒、ポリテトラフルオロエチレン（ＰＴＦＥ）顆粒、カーボンブラック顆粒および上記の２つ以上の混合物の中から選択され、必要な場合、少なくとも３本の補強用ワイヤーで補強される。
【００５８】
上記では、本発明の針を、一端のみが斜めで断面が円形のものとして説明してきたが、本発明の針はまた、図４および図５に１４として示された通り、その両端が斜めになっていてもよい。
【００５９】
さらに、中空円筒体１４の断面は、希望に応じて、正方形、長方形または台形であってもよい。
【００６０】
この場合、実際には、本発明の針は、ヒト組織に直接、医薬品を注射するためには使用されないが、例えば図４および図５に示す通りに、第１のレシピエント（図４および図５に１５として示す）に含まれる医薬品、望ましくは液体、を第２のレシピエント（図４および図５に１６として示す）に流すための流動手段と、これらのレシピエントの弾性カプセル（図４および図５に２２、２３として示す）に穴を開けるための穿孔手段からなる。
【００６１】
この例は、レシピエントまたはボトルに接続するための針に関するものである。
【００６２】
例えば、輸液袋１６に移すべき液体医薬品を、レシピエント１５に入れることが可能で、かかる輸液袋自体は、患者の体につながれる。
【００６３】
従って、本発明の第３の対象は、医薬品の穿孔および流動手段を、ボトル・コネクタに提供する針である。
【００６４】
本発明の第４の対象は、このコネクタ自体である。
【００６５】
ここで、図４および図５を参照して、このコネクタについて説明する。
【００６６】
特に医薬品が入ったボトル用の、ボトル・コネクタは、基本的に、
−  第１のレシピエント（１５として示す）の首（１８として示す）の周囲への取り付けに適した第１の空洞部分（図４および図５に１７として示す）と、
−  第２のレシピエント（１６として示す）の首（２０として示す）の中への取り付けに適した第２の空洞部分（１９として示す）とからなり、
第１の空洞部分１７と第２の空洞部分１９が、水平の壁（２１として示す）によって互いに隔てられ、かかる壁の中心に、レシピエント１５および１６の弾性カプセル（２２および２３として示す）のための穿孔手段（１４として示す）がある。
【００６７】
穿孔手段１４はまた、ボトル１５の内容を、ボトル１６に流すための導管も提供する。
【００６８】
ボトル１５の内容がボトル１６に移動できるように、コネクタには、望ましくは第２の空洞部分１９に、ポート（２４として示す）もまた含まれ、かかるポートによって、ガス、望ましくは不活性ガス、の取り込みができることが望ましい。
【００６９】
さらに、第１のレシピエント１５の首１８の周囲と、第２のレシピエント１６の首２０の中とに、コネクタを、十分な位置合わせでしっかりと取り付けることができるように、本発明のコネクタには、さらに、コネクタの第１の空洞部分１７を、レシピエント１５の首１８の周囲に、引っかけるための手段も含まれることが望ましい。かかる手段は、例えば、図４および図５に示された通りのクリップ留め手段（２５として示す）であってもよい。
【００７０】
本発明のコネクタの本質的特徴は、かかるコネクタが、本発明の針を含むということであり、かかる針は、式（１）のポリアリールエーテルケトン・ポリマー製で、かかるポリマーは、上記充填材を装填されている場合もされていない場合もあり、少なくとも３本の補強用ワイヤーを含む場合も含まない場合もある。
【００７１】
しかしながら、同様に好ましい生産形態では、本発明のコネクタ全体が、式（１）のポリアリールエーテルケトン・ポリマーからなり、かかるポリマーは、前記充填材を装填されている場合もされていない場合もあり、また、補強用ワイヤーを含む場合も含まない場合もある。
【００７２】
コネクタにつながれるように意図されたレシピエント１５および１６の首の、それぞれ、周囲および内部に、本発明のコネクタが完全に取り付けられると、針１４が、弾性カプセル２２および２３に穴を開け、それによって、レシピエント１５に入った医薬品は、レシピエント１６の中に移動できるようになる。
【００７３】
本発明の針、注射器、コネクタは、専門家にとっては既知の工程を用いて作ることができ、かかる既知の工程とは、射出成形、押出し成形、または、張力を掛けて行う押出し成形、別名、引抜き成形のようなものであり、かかる工程によって、補強用ワイヤーは、ポリマー基材とともに押出しダイの中を通過する間、張力を掛けられ続ける。
【００７４】
もちろん、本発明は決して、上記の実施形態だけに限定されない。かかる実施形態は、非網羅的な例としてのみ示されたものである。
【００７５】
従って、本発明の針とコネクタについて、液体医薬品との併用の面から説明してきたが、本発明に係る針は、その他の分野でもまた、用いられる。例えば、化学製品を分析用に試料採取して注入するための針として、または、クロマトグラフ分析装置向けの注入および試料採取用の針として用いられる。
【図面の簡単な説明】
【００７６】
【図１】本発明の第１の実施形態に係る針の末端の、軸Ｘ−Ｘ'に沿った部分的縦断面図である。
【図１Ａ】本発明のこの第１の実施形態に係る針の、軸ＩＡ−ＩＡに沿った横断面図である。
【図２】本発明の第２の実施形態に係る針の横断面図である。
【図３】本発明の第３の実施形態に係る針の横断面図である。
【図４】コネクタにつながれるように意図されたボトルに、取り付ける前の、本発明の実施形態に係るコネクタの縦断面図である。
【図５】図４に示された本発明に係るコネクタの、横断面図である。
【図１】
2007534341.tif 000005
【図２】
2007534341.tif 000006
【図３】
2007534341.tif 000007
【図４】
2007534341.tif 000008
【図５】
2007534341.tif 000009
【手続補正書】
【提出日】平成16年8月19日(2004.8.19)
【手続補正１】
【補正対象書類名】特許請求の範囲
【補正対象項目名】全文
【補正方法】変更
【補正の内容】
【特許請求の範囲】
【請求項１】
円筒体（１、１４）からなる針であって、該円筒体が、長軸Ｘ-Ｘ’に沿って伸び、該円筒体の少なくとも一端（２）が斜めになっていて、該円筒体（１、１４）が、次の式（１）で表されるポリアリールエーテルケトン・ポリマー製であり、
【化１】
2007534341.tif 000010
該針が、さらに、少なくとも３本の補強用ワイヤー（３、４、５；６、７、８、９；１０、１１、１２、１３）も含み、該ワイヤーが、式（１）のポリアリールエーテルケトン・ポリマーの中に埋め込まれ、長軸Ｘ−Ｘ’と平行に伸び、中空体（１、１４）の全長にわたって張力が均一で、ワイヤーの各組（３、４；４、５；３、５；６、７；７、８；８、９；７、９；１０、１１；１１、１２；１２、１３；１０，１３）がまったく同じ中心角を画定するように配置されることを特徴とする針。
【請求項２】
式（１）のポリアリールエーテルケトン・ポリマーが、さらに、炭素繊維、ガラス繊維、黒鉛顆粒、ポリテトラフルオロエチレン（ＰＴＦＥ）顆粒、カーボンブラック顆粒および上記の２つ以上の混合物の中から選択される充填材を含むことを特徴とする請求項１に記載の針。
【請求項３】
前記の少なくとも３本のワイヤー（３、４、５；６、７、８、９、１０、１１、１２、１３）が、３１６ステンレススチール製であることを特徴とする請求項１又は２に記載の針。
【請求項４】
前記の少なくとも３本のワイヤーのセット（３、４、５；６、７、８、９）の断面が、円形であることを特徴とする請求項１〜３のいずれか１項に記載の針。
【請求項５】
前記の少なくとも３本のワイヤーのセット（１０、１１、１２；１３）の断面が、楕円形であることを特徴とする請求項１〜３のいずれか１項に記載の針。
【請求項６】
中空体（１、１４）の断面が、円形であることを特徴とする請求項１〜５のいずれか１項に記載の針。
【請求項７】
中空体（１４）の両端が、斜めになっていることを特徴とする請求項１〜６のいずれか１項に記載の針。
【請求項８】
ピストンと、
注射針を取り付けるためのエンドフィッティングを装備したポンプ本体と、
注射針とからなる注射器であって、
該注射器が、請求項１〜６のいずれか１項に記載の針を装備することを特徴とする注射器。
【請求項９】
エンドフィッティングを装備したポンプ本体と、ピストンとが、式（１）のポリアリールエーテルケトン・ポリマー製であることを特徴とする請求項８に記載の注射器。
【請求項１０】
エンドフィッティングを装備したポンプ本体と、ピストンとが、式（１）のポリアリールエーテルケトン・ポリマー製であり、該ポリマーが、ガラス繊維、炭素繊維、黒鉛顆粒、ポリテトラフルオロエチレン（ＰＴＦＥ）顆粒、カーボンブラック顆粒およびそれら２つ以上の混合物の中から選択される充填材を含むことを特徴とする請求項８又は９に記載の注射器。
【請求項１１】
第１のレシピエント（１５）の首（１８）の周囲への取り付けに適した第１の空洞部分（１７）と、
第２のレシピエント（１６）の首の（２０）の周囲への取り付けに適した第２の空洞部分（１９）と、
レシピエント（１５、１６）の弾性カプセル（２２、２３）への穿孔手段（１４）とからなるレシピエント・コネクタであって、
第１の空洞部分（１７）と第２の空洞部分（１９）が、水平の壁（２１）で互いに隔てられ、
該穿孔手段（１４）が、請求項７に記載の針であって、水平の壁（２１）の中心に配置されることを特徴とするコネクタ。
【請求項１２】
第２の空洞部分（１９）にさらに、ガスを取り込むためのポート（２４）も含まれることを、特徴とする請求項１１に記載のコネクタ。
【請求項１３】
第１の空洞部分（１７）にさらに、レシピエント（１５）の首（１８）への、該コネクタの取付手段（２５）も、含まれることを特徴とする請求項１１又は１２に記載のコネクタ。
【請求項１４】
第１の空洞部分（１７）、第２の空洞部分（１９）、隔離壁（２１）が、式（１）のポリアリールエーテルケトン・ポリマー製であることを特徴とする請求項１１〜１３のいずれか１項に記載のコネクタ。
【請求項１５】
式（１）のポリアリールエーテルケトン・ポリマーが、炭素繊維、ガラス繊維、黒鉛顆粒、ポリテトラフルオロエチレン（ＰＴＦＥ）顆粒、カーボンブラック顆粒およびそれら２つ以上の混合物の中から選択される充填材を含むことを特徴とする請求項１４に記載のコネクタ。
【国際調査報告】
2007534341.tif 000011
2007534341.tif 000012
2007534341.tif 000013